(57)【特許請求の範囲】
【請求項１】
平板のパネルと、
前記パネルの下端に少なくとも１個取り付けられる可倒式脚部と、
前記パネルを複数枚連結するための連結部材と、
を備え、
前記可倒式脚部は、
Ｌ字部材とその両側面に取り付けられた側面部材とからなり、前記両側面部材に略水平方向に、前記パネルに近い方にヒンジピンを挿入するための第１ヒンジピン孔及び前記パネルから遠い方にロックピンを挿入する第１ロックピン孔が設けられた、前記パネルに取り付けるため取付部材と、
断面がコの字形状の長尺材であって、側端が下向きとなるように側面が前記取付部材の側面部材に取り付けられた状態で、前記取付部材に前記ヒンジピンで回動可能に結合するための第２ヒンジピン孔及び前記ロックピンを挿入して固定するための第２ロックピン孔を有する脚部材と、
を備えていることを特徴とするパーティション。
【請求項２】
請求項１に記載のパーティションにおいて、
前記脚部材は、
側面の先端部分に、前記ヒンジピン及び前記ロックピンを前記第１及び第２ヒンジピン孔及び前記第１及び第２ロックピン孔に挿入して前記取付部材に固定した状態で、前記側面下側に、前記第２ヒンジピン孔の中心よりも下側に、床面に接するように突出した所定の長さの突出部を有し、該突出部の下端部分に床面との滑り止めが設けられていることを特徴とするパーティション。
【請求項３】
請求項１又は請求項２に記載のパーティションにおいて、
前記パネルは平面側端部に溝部を有し、
前記連結部材は、
２枚の前記パネルを連結する際に、２枚の前記パネルの各々の溝部に嵌合する嵌合部及び２枚の前記パネルの各々の溝部に嵌合した嵌合部を連結する弾性体で形成された連結部を備えたことを特徴とするパーティション。
【請求項４】
請求項１〜請求項３のいずれか１項に記載のパーティションにおいて、
前記可倒式脚部のうち、少なくとも前記パネルの片面側にある前記可倒式脚部及び前記パネルの側端面を連結する支柱部と、
前記パネルの前記支柱部が取り付けられた面と反対面の側端面に設けられたトレイと、
を備え、
前記パネルのうち、少なくとも前記トレイが設けられた面が筆記可能な材料で形成されていることを特徴とするパーティション。
【発明の詳細な説明】
【技術分野】
【０００１】
本発明は、複数のパネルを連結して設置する際の設置と収納がし易い脚及び連結部材を備えたパーティションに関する。
【背景技術】
【０００２】
従来、パーティションを構成するパネルが転倒しないように支えるために、中央部にリブを連続して形成した帯鋼をＬ字の水平部と垂直部を形成したＬ型脚と、そのＬ型脚をアルミダイキャストや樹脂製のＬ型カバー脚で上から補強するように組み合わせた構造とした安定脚を備えたパーティションがある（例えば特許文献１参照）。
【先行技術文献】
【特許文献】
【０００３】
【特許文献１】特開２００６ー３２８８８０号公報
【発明の概要】
【発明が解決しようとする課題】
【０００４】
ところが、上記安定脚を備えたパーティションでは、安定脚のＬ型脚は帯鋼をＬ字に成型してあり、Ｌ型カバー脚もアルミダイキャストや樹脂をＬ字に成型してあり、パーティションのパネル下端部分にネジ止めにより固定する構造となっている。
【０００５】
したがって、パーティションを収納する際には、安定脚が邪魔になる。また、パーティションを効率よく収納するためには、パネルにネジ止めされている安定脚を、ネジを取り外して収納する必要があるなど取扱い性が悪いという問題があった。
【０００６】
本発明は、こうした問題に鑑みなされたもので、複数のパネルを容易かつ安定に連結して設置でき、軽量で収納に便利なパーティションを提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた発明は、平板のパネル（１０）、可倒式脚部（２０）及び連結部材（３０）を備えたパーティション（１）である。
【０００９】
連結部材（３０）は、パネル（１０）を複数枚連結するための部材であり、可倒式脚部（２０）は、パネル（１０）の下端に少なくとも１個取り付けられており、取付部材（２２）及び脚部材（２４）とを備えている。
【００１０】
取付部材（２２）は、Ｌ字部材（２２ａ）とその両側面に取り付けられた側面部材（２２ｂ）とからなり、両側面部材（２２ｂ）に略水平方向に、パネル（１０）に近い方にヒンジピン（４０）を挿入するための第１ヒンジピン孔（２２ｃ）及びパネル（１０）から遠い方にロックピン（５０）を挿入する第１ロックピン孔（２２ｄ）が設けられたパネル（１０）に取り付けるための部材である。
【００１１】
脚部材（２４）は、断面がコの字形状の長尺材であって、側端（２４ｂ）が下向きとなるように側面（２４ａ）が取付部材（２２）の側面部材（２２ｂ）に取り付けられた状態で、取付部材（２２）にヒンジピン（４０）で回動可能に結合するための第２ヒンジピン孔（２４ｃ）及びロックピン（５０）を挿入して固定するための第２ロックピン孔（２４ｄ）を有している。
【００１２】
このようなパーティション（１）によれば、複数のパネル（１０）を容易かつ安定に連結して設置でき、軽量で収納に便利なパーティション（１）とすることができる。以下その理由を説明する。
【００１３】
可倒式脚部（２０）は、取付部材（２２）によりパーティション（１０）に取り付けられ、取付部材（２２）には、ヒンジピン（４０）を回転中心として回動可能に脚部材（２４）が取り付けられている。また、ロックピン（５０）によって脚部材（２４）が取付部材（２２）に固定される。
【００１４】
そして、取付部材（２２）は、パネル（１０）に取り付けられる。このとき、第１ヒンジピン孔（２２ｃ）と第１ロックピン孔（２２ｄ）は、略水平に設けられているので、脚部材（２４）がロックピン（５０）によって取付部材（２２）に固定されると、脚部材（２４）は展開した状態で固定される。
【００１５】
つまり、可倒式脚部（２０）を展開した使用状態では、パネル（１０）は、可倒式脚部（２０）によって安定して支持されることになる。
逆に、第１ヒンジピン孔（２２ｃ）と第１ロックピン孔（２２ｄ）とは、略水平に設けられているので、ロックピン（５０）を外せば、脚部材（２４）をパネル（１０）側に上げることができる。つまり、不使用時には、可倒式脚部（２０）を収納状態とすることができるので、収納に便利である。
【００１６】
また、連結部材（３０）により複数のパネル（１０）を連結することもでき、連結部材（３０）を取り外せば、１枚のパネル（１０）として収納することができるので、便利である。
【００１７】
また、パネル（１０）を塩化ビニールやアクリルなどの樹脂やアルミニウムなどの軽金属、あるいは、それらを組み合わせて構成すれば、パネル（１０）を軽量化することができるので、パーティション（１）全体を軽量化することができる。
【００１８】
さらに、請求項２に記載のように、脚部材（２４）は、側面（２４ａ）の先端部分に、ヒンジピン（４０）及びロックピン（５０）を第１及び第２ヒンジピン孔（２２ｃ，２４ｃ）及び第１及び第２ロックピン孔（２２ｄ，２４ｄ）に挿入して取付部材（２２）に固定した状態で、側面（２４ａ）下側に、第２ヒンジピン孔（２４ｃ）の中心よりも下側に、床面に接するように突出した所定の長さの突出部（２４ｅ）を有し、その突出部（２４ｅ）の下端部分に床面との滑り止め（２４ｆ）が設けられているようにするとよい。
【００１９】
このようにすると、突出部（２４ｅ）の下端が床面に接する際、突出部（２４ｅ）が第２ヒンジピン孔（２４ｃ）の中心よりも下側にあるため、突出部（２４ｅ）でパネル（１０）重量を支えることになる。したがって、パネル（１０）を安定して支えることができる。
【００２０】
また、突出部（２４ｅ）の下端部分に床面との間の滑り止め（２４ｆ）が設けられている。したがって、突出部（２４ｅ）に掛かるパネル（１０）重量により床面との摩擦が大きくなるため、パネル（１０）を安定して支えることができる。
【００２１】
ところで、パーティション（１）のパネル（１０）を複数枚連結して使用する場合、２枚のパネル（１０）の側端をボルト・ナットで締結したり、２枚のパネル（１０）が接する上端部分を平板の留め具をネジで固定して連結したりする場合が多い。
【００２２】
この場合、複数のパネル（１０）を真っすぐに連結したり、垂直に連結したりすることはできるが、任意の角度で連結することができない。また、連結の際にスクリュードライバーなどが必要であり、作業性も悪い。
【００２３】
さらに、複数のパネル（１０）を連結して設置する場合、設置面に段差があると設置することができないという問題もある。
そこで、請求項３に記載のように、パネル（１０）は平面側端部に溝部（１８）を有し、連結部材（３０）は、２枚のパネル（１０）を連結する際に、２枚のパネル（１０）の各々の溝部（１８）に嵌合する嵌合部（３２）及び２枚のパネル（１０）の各々の溝部（１８）に嵌合した嵌合部（３２）を連結する弾性体で形成された連結部（３４）を備えるようにするとよい。
【００２４】
このようにすると、嵌合部（３２）を２枚のパネル（１０）の溝部（１８）に嵌合させた状態で、その２つの嵌合部（３２）を連結する連結部（３４）が撓むことができる。したがって、２枚のパネル（１０）を任意の角度で設置することができる。
【００２５】
また、パネル（１０）の溝部（１８）に嵌合部（３２）を嵌合させるだけで２枚のパネル（１０）を結合することができるので連結時の作業性を向上させることができる。
このようにして、２枚のパネル（１０）を次々に結合させることにより複数のパネル（１０）を作業性良く、かつ、任意の角度で設置することができるようになる。
【００２６】
さらに、嵌合部（３２）を溝部（１８）に嵌合させるだけで複数のパネル（１０）を連結することができるので、パネル（１０）の上部から下部まで溝部（１８）を設けておけば、設置面に段差があったとしても、パネル（１０）を連結することができる。
【００２７】
また、請求項４に記載のように、可倒式脚部（２０）のうち、少なくともパネル（１０）の片面側にある可倒式脚部（２０）及びパネル（１０）の側端面を連結する支柱部（６０）と、パネル（１０）の支柱部（６０）が取り付けられた面と反対面の側面に設けられたトレイ（７０）と、を備え、パネル（１０）のうち少なくともトレイ（７０）が設けられる面を筆記可能な材料で形成するとよい。
【００２８】
このようにすると、パネル（１０）の片面に文字や図形等を書くことができる、いわゆるホワイトボードとして使用することができる。また、可倒式脚部（２０）のうち、少なくともパネル（１０）の片面側にある可倒式脚部（２０）及びパネル（１０）の側端面を連結する支柱部（６０）を設けることで、筆記時にパネル（１０）に加わる力によりパネル（１０）が倒れたり、不安定になったりするのを防ぐことができる。
【００２９】
さらに、筆記面にトレイ（７０）を設けているので、例えば、マーカやイレーザなどをトレイ（７０）に置いておくことができるので便利である。
【図面の簡単な説明】
【００３０】
【図１】パーティションの概略の外観図である。
【図２】可倒式脚部の概略の構造を示す拡大図である。
【図３】連結部材の概略の構造を示す拡大図である。
【図４】パーティションをホワイトボードとした場合の外観図を示す図である。
【発明を実施するための形態】
【００３１】
［第１実施形態］
まず、図１に基づきパーティション１の全体構成及びパネル１０について説明する。なお、図１の平面図においては、可倒式脚部２０の図示を省略してある。
【００３２】
パーティション１は、図１に示すように、平板のパネル１０、パネル１０の下端に少なくとも１個取り付けられる可倒式脚部２０及びパネル１０を複数枚連結するための連結部材３０を備えている。
【００３３】
パネル１０は、外径形状が、高さ１９００［ｍｍ］、横幅９４０［ｍｍ］、厚さ（奥行き）２０［ｍｍ］のアルミニウム製の枠１４を形成し、枠１４の奥行き方向の中間内側部分全周に、溝幅１［ｍｍ］の図示しない溝を設け、その溝に厚さ１［ｍｍ］の長方形の塩化ビニール製の薄板１２の縁部分を挿入し、挿入した部分を発泡スチロールやシリコンなどのコーキング剤などの補強材１６で補強して固定してある。
【００３４】
また、パネル１０の枠１４平面側の両側端部分には、縦方向に上端から下端まで溝部１８が設けられている。
次に、図２に基づいて可倒式脚部２０について説明する。なお、図２において「Ａ」は、可倒式脚部２０を展開してパネル１０を支持する使用時の状態を示しており、「Ｃ」は、収納状態、「Ｂ」は、収納状態から使用状態（あるいはその逆）に至る途中の状態を示している。
【００３５】
可倒式脚部２０は、図２に示すように、可倒式脚部２０をパネル１０に取り付けるための取付部材２２と、使用時にパネル１０から展開してパネル１０を支持する脚部材２４とを備えている。
【００３６】
取付部材２２は、Ｌ字形状のアルミニウムのＬ字部材２２ａとその両側面に取り付けられた側面部材２２ｂとからなっている。
両側面部材２２ｂには、略水平方向に、パネル１０に近い方にヒンジピン４０を挿入するための第１ヒンジピン孔２２ｃ及びパネル１０から遠い方にロックピン５０を挿入する第１ロックピン孔２２ｄが設けられている。
【００３７】
このとき、第１ロックピン孔２２ｄの位置は、第１ヒンジピン孔２２ｃの位置と水平の位置あるいは水平位置よりも上方にならないようにしておく。
Ｌ字部材２２ａの一面（パネル１０に接する面）には、４箇所に取付孔が設けられており、その４箇所の取付孔にネジ２２ｅを通してパネル１０に取り付けるようになっている。
【００３８】
脚部材２４は、断面がコの字形状のアルミニウムの長尺材であって、側端２４ｂが下向きとなるように側面２４ａが取付部材２２の側面部材２２ｂの内側に挿入された状態で使用される。
【００３９】
脚部材２４のうち取付部材２２の側面部材２２ｂの内側に挿入される部分には、第２ヒンジピン孔２４ｃ及び第２ロックピン孔２４ｄの２つの孔が略水平に設けられている。
このとき、第２ロックピン孔２４ｄの位置は、第２ヒンジピン孔２４ｃの位置と水平の位置あるいは水平位置よりも上方にならないようにしておく。
【００４０】
そして、取付部材２２に設けられている第１ヒンジピン孔２２ｃと、脚部材２４に設けられている第２ヒンジピン孔２４ｃとにヒンジピン４０を挿入し、脚部材２４が取付部材２２に対してヒンジピン４０を回転軸として回動可能に取り付けられる
また、脚部材２４を展開した状態（図２中「Ａ」に示す状態）にし、取付部材２２に設けられている第１ロックピン孔２２ｄと、脚部材２４に設けられている第２ロックピン孔２４ｄとにロックピン５０を挿入して、取付部材２２に脚部材２４を固定する。
【００４１】
ロックピン５０には、図示しないバネが設けられており、ロックピン５０が取付部材２２に押しつけられた状態で保持されるようになっている。したがって、脚部材２４の状態を変化させる場合、例えば、図２中「Ａ」から「Ｃ」の状態にする場合には、ロックピン５０の頭の部分を手で引っ張るようにして、ロックピン５０を第２ロックピン孔２４ｄから一時的に引き抜いて、固定状態を解除し、脚部材２４を、ヒンジピン４０を回転軸として回転させればよい。
【００４２】
さらに、取付部材２２において、第１ヒンジピン孔２２ｃの上方に第３ヒンジピン孔２２ｆが設けられており、脚部材２４を収納状態（立てた状態）にしたときに、ロックピン５０がバネの付勢力で第３ヒンジピン孔２２ｆに挿入され、仮ロック状態になるようになっている。
【００４３】
また、脚部材２４の側面２４ａの先端部分には、所定の長さの突出部２４ｅが設けられている。
この突出部２４ｅは、ヒンジピン４０及びロックピン５０を第１及び第２ヒンジピン孔２２ｃ，２４ｃ及び第１及び第２ロックピン孔２２ｄ，２４ｄに挿入して取付部材２２に固定した状態で、側面２４ａ下側に、第２ヒンジピン孔２４ｃの中心よりも下側で、かつ、パネル１０の下端と同じ高さに、床面に接するように突出する形となっている。
【００４４】
そして、突出部２４ｅの下端部分に、床面との滑りを防止するためのゴム製の滑り止め２４ｆが設けられている。
次に、図３に基づいて連結部材３０について説明する。連結部材３０は、嵌合部３２、連結部３４及びつまみ部３６とを備えている。
【００４５】
嵌合部３２は、２枚のパネル１０を連結する際（図１参照）に、２枚のパネル１０の各々の溝部１８に嵌合させる部分であり、ゴムなどの弾性体を溝部１８の溝幅より若干大きくなるようにし、溝部１８に挿入しやすいように、先端部が１［ｍｍ］程度面取りされている。
【００４６】
連結部３４は、２枚のパネル１０の各々の溝部１８に嵌合させる嵌合部３２を連結するゴムなどの弾性体で形成された部分である。
つまみ部３６は、連結部３４の両端部に嵌合部３２の反対側に設けられている突起部である。このつまみ部３６を手でつまむようにして、嵌合部３２を溝部１８に挿入したり、溝部１８から引き抜いたりすると、挿入や引き抜きがしやすい。
【００４７】
なお、本実施形態では、嵌合部３２、連結部３４及びつまみ部３６は、ゴムを一体成型して形成してある。
そして、図１に示すように、連結部材３０を２枚のパネル１０を連結する部分の上下２箇所に用いて、２枚のパネル１０の溝部１８に嵌合部を差し込んでいくことによりパネル１０同士を連結することができる。つまり、複数のパネル１０を連結していくことができるようになっている。
（パーティション１の特徴）
上述したパーティション１では、可倒式脚部２０は、取付部材２２によりパネル１０に取り付けられ、取付部材２２には、ヒンジピン４０を回転中心として回動可能に脚部材２４が取り付けられている。また、ロックピン５０によって脚部材２４が取付部材２２に固定される。
【００４８】
そして、取付部材２２は、パネル１０に取り付けられる。このとき、第１ヒンジピン孔２２ｃと第１ロックピン孔２２ｄは、略水平で第１ロックピン孔２２ｄの位置が第１ヒンジピン孔２２ｃの位置よりも上方にならないように設けられている。また、第２ロックピン孔２４ｄの位置が第２ヒンジピン孔２４ｃの位置よりも上方にならないように設けられているので、脚部材２４がロックピン５０によって取付部材２２に固定されると、脚部材２４は展開した状態で固定される。
【００４９】
つまり、可倒式脚部２０を展開した使用状態では、パネル１０は、可倒式脚部２０によって安定して支持されることになる。
逆に、第１ヒンジピン孔２２ｃと第１ロックピン孔２２ｄとは、略水平に設けられているので、ロックピン５０を外せば、脚部材２４をパネル１０側に上げることができる。つまり、不使用時には、可倒式脚部２０を収納状態とすることができるので、収納に便利である。
【００５０】
また、パネル１０は、塩化ビニール製の薄板１２の４つの縁をアルミニウム製の枠１４によって補強する形で平板を形成してあるので、パーティション１を軽量化することができる。
【００５１】
さらに、脚部材２４は、側面２４ａ先端部分に、ヒンジピン４０及びロックピン５０を第１及び第２ヒンジピン孔２２ｃ，２４ｃ及び第１及び第２ロックピン孔２２ｄ，２４ｄに挿入して取付部材２２に固定した状態で、側面２４ａ下側に、第２ヒンジピン孔２４ｃの中心よりも下側で、かつ、パネル１０の下端と同じ高さに、床面に接するように突出する所定の長さの突出部２４ｅを有し、その突出部２４ｅの下端部分に床面との滑り止め２４ｆが設けられている。
【００５２】
よって、突出部２４ｅの下端が床面に接する際、突出部２４ｅが第２ヒンジピン孔２４ｃの中心よりも下側にあるため、突出部２４ｅでパネル１０の重量を支えることになる。したがって、パネル１０を安定して支えることができる。
【００５３】
また、突出部２４ｅの下端部分に床面との間の滑り止め２４ｆが設けられている。したがって、突出部２４ｅに掛かるパネル１０重量により床面との摩擦が大きくなるため、パネル１０を安定して支えることができる。
【００５４】
また、連結部材３０により複数のパネル１０を連結することもでき、連結部材３０を取り外せば、１枚のパネル１０として収納することができるので、便利である。
さらに、２枚のパネル１０を連結する際に、２枚のパネル１０の各々の溝部１８に嵌合する嵌合部３２及び２枚のパネル１０の各々の溝部１８に嵌合した嵌合部３２を連結する弾性体で形成された連結部３４を備えている。
【００５５】
したがって、嵌合部３２を２枚のパネル１０の溝部１８に嵌合させた状態で、その２つの嵌合部３２を連結する連結部３４が撓むことができる。したがって、２枚のパネル１０を任意の角度で設置することができる。
【００５６】
また、パネル１０の溝部１８に嵌合部３２を嵌合させるだけで２枚のパネル１０を結合することができるので連結時の作業性を向上させることができる。
このようにして、２枚のパネル１０を次々に結合させることにより複数のパネル１０を作業性良く、かつ、任意の角度で設置することができるようになる。
【００５７】
さらに、溝部１８がパネル１０の上端から下端までに設けられているので、パネル１０のどの部分においても複数のパネル１０を連結することができる。したがって、例えば、段差があるような場所に、設置するような場合であっても、隣接するパネル１０の高さ位置をずらして連結することもできて便利である。
［第２実施形態］
次に図４に基づいて、パネル１０をいわゆるホワイトボードとして使用する第２実施形態について説明する。
【００５８】
第２実施形態にパネル１０では、図４に示すように、パネル１０に取り付けられている４つの可倒式脚部２０のうち、片面側（図４では裏面側）にある可倒式脚部２０及びパネル１０の側端面を、アルミのバー材などの支柱部６０で連結する。
【００５９】
また、パネル１０の支柱部６０が取り付けられた面と反対面（図４では表面）の側面にトレイ７０を設ける。このトレイ７０は、アルミの板材を成形したものや樹脂材を成形したものである。
【００６０】
さらに、パネル１０のうち、トレイ７０が設けられた面（図４では表面）が筆記可能な材料、例えば、塩化ビニールで形成されている。
なお、「パネル１０の側端面」とは、パネル１０の枠１４の側端面のみだけでなく、支柱部６０やトレイ７０が取り付けられることができる幅を有しているのであれば、枠１４の表裏面をも意味している。
【００６１】
このような、パーティション１では、パネル１０の片面に文字や図形等を書くことができる、いわゆるホワイトボードとして使用することができる。
また、可倒式脚部２０と羽なる１０とを支柱部６０で連結してあるので、筆記時にパネル１０に加わる力によりパネル１０が倒れたり、不安定になったりするのを防ぐことができる。
【００６２】
さらに、筆記面にトレイ７０を設けているので、例えば、マーカやイレーザなどをトレイ（７０）に置いておくことができるので便利である。
以上、本発明の実施形態について説明したが、本発明は、本実施形態に限定されるものではなく、種々の態様を採ることができる。
（１）上記実施形態では、パネル１０に塩化ビニール製の薄板１２を用いたが、アクリルなどの樹脂の薄板、アルミニウムなどの金属製の薄板或いは木製の薄板を用いてもよい。（２）上記実施形態では、連結部材３０として、嵌合部３２と連結部３４とを一体成型したゴム製のものを用いたが、嵌合部３２をゴム製とし、連結部３４を金属や樹脂の薄板などの弾性材料を用いて構成してもよい。
（３）上記実施形態では、可倒式脚部２０を１枚のパネル１０の下端両隅の両面に計４個取り付けたが、複数のパネル１０を連結する場合には、パネル１０の下端の１つの隅に１個ずつ、各パネル１０において取付面が交互になるように取り付けてもよい。
【００６３】
この場合、可倒式脚部２０を設置していない側に、Ｌ字状のサポート部材を取り付けてもよい。つまり、Ｌ字状のサポートの１面をパネル１０に取り付け、他の面が設置面に接触するようにすると軽量化を図りながら安定したパーティション１とすることができる。（５）連結部材３０の嵌合部３２に、溝部１８に差し込む方向に切欠きを設けてもよい。このようにすると、嵌合し易く（溝部１８に差し込み易く）、かつ、嵌合後には、溝部１８から抜けないようにすることができる。
（４）上記実施形態では、脚部材２４の側面２４ａが取付部材２２の側面部材２２ｂの内側に挿入された状態で使用されたが、逆に、取付部材２２の側面部材２２ｂが脚部材２４の側面２４ａの外側に挿入されるようにしてもよい。
【００６４】
このようにすると、可倒式脚部２０の数が減るので、パーティション１を軽量化することができるとともに、収納時にも作業性が良くなる。
（５）上記実施形態では、使用していないが、パネル１０の上部の枠１４の外側面に長手方向に沿って２つの溝を設け、２つのパネル１０の上端角部の２つの溝に渡すように、コの字型のアングル材の両側面を２つの溝に差し込み、複数のパネル１０を連結する際の補強にしてもよい。
【００６５】
なお、段差がある設置面に複数のパネル１０を設置する場合には、パネル１０の枠１４の外側面の２つの溝を、縦方向に配置された枠１４に設け、アングル材をＬ字状にしておけば、下の段差面に設置されるパネル１０の上面と上の段差面に設置されるパネル１０の側面とをアングル材で補強することができる。
【００６６】
なお、このアングル材は、アルミニウムなどの金属製であってもよいし、プラスチックなどの樹脂製であってもよい。
（６）上記実施形態では、パネル１０外径形状を、高さ１９００［ｍｍ］、横幅９４０［ｍｍ］、厚さ（奥行き）２０［ｍｍ］としたが、この寸法に限定されるものではなく、用途に応じて寸法を変更してもよい。
（７）額に入れた絵画や写真などを、パネル１０の溝部１８に、先端がフック状の鎖や紐などを引っかけるようにして吊り下げるようにしてもよい。
（８）また、パーティションの表裏面で、ホワイトボードとして使用しない面に、裏面に粘着性を有するいわゆるカラーシートを好みのデザインに切断して貼り付けたり、インクジェットプリンタなどによって、好みの図柄や文字などを印刷したりすることによって、パーティションにデザイン性を持たせるようにしてもよい。
【符号の説明】
【００６７】
１… パーティション  １０… パネル  １２… 薄板  １４… 枠  １６… 補強材  １８… 溝部  ２０… 可倒式脚部  ２２… 取付部材  ２２ａ… Ｌ字部材  ２２ｂ… 側面部材  ２２ｃ… 第１ヒンジピン孔  ２２ｄ… 第１ロックピン孔  ２２ｅ… ネジ  ２２ｆ… 第３ヒンジピン孔  ２４… 脚部材  ２４ａ… 側面  ２４ｂ… 側端  ２４ｃ… 第２ヒンジピン孔  ２４ｄ… 第２ロックピン孔  ２４ｅ… 突出部  ２４ｆ… 滑り止め  ３０… 連結部材  ３２… 嵌合部  ３４… 連結部  ３６… つまみ部  ４０… ヒンジピン  ５０… ロックピン  ６０… 支柱部  ７０… トレイ。
【図１】
0005926638.tif 000002
【図２】
0005926638.tif 000003
【図３】
0005926638.tif 000004
【図４】
0005926638.tif 000005